(57)【要約】      （修正有）【課題】手での昇降操作が容易で使い勝手と耐久性に優れた排煙フードの昇降構造を提供することを目的とする。【解決手段】昇降筒が垂下固定筒に摺動可能に挿通されるとともに任意の位置で固定可能な排煙フードにおいて、垂下固定筒２に備えられた磁石部５と、昇降筒３に備えられた磁石スライドレール７とを吸着させ、磁石部５と磁石スライドレール７とを吸着させた状態でスライド移動させることによって、昇降筒を自在に昇降させるとともに任意の位置で固定するように構成した。磁石を吸着面に対して垂直方向に引き離すときには大きな力が必要であるが、吸着面に対して並行に移動させる（スライドして移動させる）ときには小さな力で事足りるという磁石の特性を利用した。【選択図】図３
2017067424.tif 000002
【特許請求の範囲】
【請求項１】
昇降筒が垂下固定筒に摺動可能に挿通されるとともに任意の位置で固定可能な排煙フードにおいて、垂下固定筒に備えられた磁石部と、昇降筒に備えられた磁石スライドレールとを吸着させ、磁石部と磁石スライドレールとを吸着させた状態でスライド移動させることによって、昇降筒を自在に昇降させるとともに任意の位置で固定するように構成したことを特徴とする排煙フードの昇降構造。
【請求項２】
昇降筒が垂下固定筒に摺動可能に挿通されるとともに任意の位置で固定可能な排煙フードにおいて、垂下固定筒に備えられた磁石部と、昇降筒に備えられた磁石スライドレールとを吸着させ、磁石部と磁石スライドレールとを吸着させた状態でスライド移動させることによって、昇降筒を自在に昇降させるとともに任意の位置で固定するように構成し、垂下固定筒に備えられた磁石部は、垂下固定筒の下端側開口部近傍の直径方向に渡って備えられた上方ステー部材の磁石スライドレールの貫通孔の上部に備えられ、昇降筒に備えられた磁石スライドレールは、磁石が吸着可能な金属材で角棒あるいは角パイプから形成されるとともに昇降筒の下端側開口部近傍の直径方向に渡って備えられた下方ステー部材から立設され、垂下固定筒に備えられた上方ステー部材の磁石スライドレールの貫通孔及び磁石部の磁石スライドレールの貫通孔に挿通されて構成したことを特徴とする請求項１に記載の排煙フードの昇降構造。
【請求項３】
昇降筒が垂下固定筒に摺動可能に挿通されるとともに任意の位置で固定可能な排煙フードにおいて、垂下固定筒に備えられた磁石部と、昇降筒に備えられた磁石スライドレールとを吸着させ、磁石部と磁石スライドレールとを吸着させた状態でスライド移動させることによって、昇降筒を自在に昇降させるとともに任意の位置で固定するように構成し、垂下固定筒に備えられた磁石部は、垂下固定筒の下端側開口部近傍の直径方向に渡って備えられた上方ステー部材の磁石スライドレールの貫通孔の上部に備えられ、昇降筒に備えられた磁石スライドレールは、磁石が吸着可能な金属材で角棒あるいは角パイプから形成されるとともに昇降筒の下端側開口部近傍の直径方向に備えられた下方ステー部材から立設され、垂下固定筒に備えられた上方ステー部材の磁石スライドレールの貫通孔及び磁石部の磁石スライドレールの貫通孔に挿通されるとともに、垂下固定筒の上方ステー部材と昇降筒の下方ステー部材との間にコイルスプリングを備えて構成したことを特徴とする請求項１または請求項２の何れかに記載の排煙フードの昇降構造。
で解決される。
【請求項４】
昇降筒が垂下固定筒に摺動可能に挿通されるとともに任意の位置で固定可能な排煙フードにおいて、垂下固定筒の外面に備えられた磁石と、昇降筒の内面とを吸着させた状態で、昇降筒をスライド移動させることによって、昇降筒を自在に昇降させるとともに任意の位置で固定するように構成したことを特徴とする排煙フードの昇降構造。
で解決される。
【請求項５】
昇降筒が垂下固定筒に摺動可能に挿通されるとともに任意の位置で固定可能な排煙フードにおいて、垂下固定筒の外面に備えられた磁石と、昇降筒の内面とを吸着させた状態で、昇降筒をスライド移動させることによって、昇降筒を自在に昇降させるとともに任意の位置で固定するように構成し、垂下固定筒の下端側開口部近傍の直径方向に渡って備えられた上方ステー部材と昇降筒の下端側開口部近傍の直径方向に渡って備えられた下方ステー部材とを備えるとともに、垂下固定筒の上方ステー部材と昇降筒の下方ステー部材との間にコイルスプリングを備えて構成したことを特徴とする請求項４に記載の排煙フードの昇降構造。
【請求項６】
昇降筒が垂下固定筒に摺動可能に挿通されるとともに任意の位置で固定可能な排煙フードにおいて、垂下固定筒に備えられた磁石部と、昇降筒に備えられた磁石スライドレールとを吸着させ、磁石部と磁石スライドレールとを吸着させた状態でスライド移動させることによって、昇降筒を自在に昇降させるとともに任意の位置で固定するように構成し、垂下固定筒に備えられた磁石部は、垂下固定筒の外周面に備えられ、昇降筒に備えられた磁石スライドレールは、昇降筒の内周面の長手方向に立設して構成したことを特徴とする請求項１に記載の排煙フードの昇降構造。
【請求項７】
昇降筒が垂下固定筒に摺動可能に挿通されるとともに任意の位置で固定可能な排煙フードにおいて、垂下固定筒に備えられた磁石部と、昇降筒に備えられた磁石スライドレールとを吸着させ、磁石部と磁石スライドレールとを吸着させた状態でスライド移動させることによって、昇降筒を自在に昇降させるとともに任意の位置で固定するように構成し、
垂下固定筒に備えられた磁石部は、垂下固定筒の外周面に備えられ、昇降筒に備えられた磁石スライドレールは、昇降筒の内周面に立設されるとともに、垂下固定筒の下端側開口部近傍の直径方向に渡って備えられた上方ステー部材と昇降筒の下端側開口部近傍の直径方向に渡って備えられた下方ステー部材とを備えるとともに、垂下固定筒の上方ステー部材と昇降筒の下方ステー部材との間にコイルスプリングを備えて構成したことを特徴とする請求項１または請求項６の何れかに記載の排煙フードの昇降構造。
【請求項８】
昇降筒の下端側開口部にグリスフィルタを着脱可能に格納したことを特徴とする請求項１乃至請求項７の何れかに記載の排煙フードの昇降構造。
【発明の詳細な説明】
【技術分野】
【０００１】  本発明は、排煙フードの昇降構造に関し、特に磁石を利用した排煙フードの昇降構造に関する。
【背景技術】
【０００２】  従来、焼肉店では肉類を焼く際に発生する煙を外部に排出するために、天井からコンロに向けて垂下した排煙フードが備えられている。このような排煙フードは、図１及び図２に示されるように、天井から垂下した固定筒に昇降筒が昇降可能に備えられるとともに所望の高さ位置に固定可能な構造となっている。図１は、昇降筒を下げた状態を示す図、図２は、昇降筒を上げた状態を示す図である。なお、図１及び図２においては昇降及び所望位置で固定するための詳細な構造についての図示は省略している。このような排煙フードは、肉を焼く際には図１に示されるように昇降筒の下端をコンロの真上に位置するように下げることで効率よく煙を吸引し、肉が焼き終わったら図２に示されるように昇降筒を上方に移動することでロースターテーブルで対面する相手との会話の妨げになることがない。【０００３】  上記のような従来の排煙フードの昇降筒の昇降構造や所望する位置での固定構造は、下記に示すように様々な構造が提案されている。【０００４】  例えば、磁石を用いた方式では、特開２００８−２６７７３６号公報（特許文献１）の排気用昇降フードがある。当該公報の段落００１２、００１６、００１９、図２、図５、図６に示されるように、排気用昇降フードは、昇降筒が垂下筒に摺動可能に挿通されていること、その垂下筒は、ＳＵＳ４３０やＳＵＳ４０３等の磁石が吸着可能なフェライト系ステンレスが用いられていること、昇降筒に取付けられた磁石によって任意の位置で吸着固定が可能となること、着脱機構によって垂下筒に吸着している磁石を外し、昇降筒を固定したい位置まで摺動させてから、再び磁石を垂下筒に吸着させて位置を固定することで昇降筒を摺動可能な領域内の任意の位置に固定することができる。具体的な操作方法としては、操作レバー１９を蝶板２０を軸として上方へ回動させることにより、垂下筒吸着磁石２２及び昇降筒吸着磁石２４が昇降筒１５及び垂下筒１４にから引き離されて昇降筒１５が昇降自由な状態となって任意の位置に移動させ、所望の位置で再び操作レバー１９を下方に回動させることにより、垂下筒吸着磁石２２及び昇降筒吸着磁石２４が再び昇降筒１５及び垂下筒１４に吸着し昇降筒１５を所望の位置でしっかりと固定する。【０００５】  また、ワイヤを用いた方式では、特開２００３−２９４２８６号公報（特許文献２）の加熱調理部付きテーブル個別排気用の排気装置がある。当該公報の段落００２１に吸気部１１は、径の異なる３本のパイプ１３、１４、１５を継ぎ合わせることで伸縮できるようにされていること、その伸縮動作のための機構は、下段のパイプ１３にこれを吊るように接続されているワイヤ１７と、ワイヤ１７の巻上げと繰出しを行なう駆動手段１８を主な要素として形成されることが記載されている。【０００６】  また、筒の内部にシャフトを備えた方式では、特開２０１３−２９２６１号公報（特許文献３）の排気フードの昇降装置がある。当該公報の段落００１４、００１５に示されるように、固定筒の内壁上下部に、対向してガイド孔を有する金具を横設し、このガイド孔に昇降筒内に起立したシャフトを挿通して、固定筒の外側に昇降筒を摺動可能に挿通したため、昇降筒は固定筒の外側に挿通した��態で昇降可能であり、固定筒の上下のガイド孔に昇降筒のシャフトが挿通しているから、昇降筒は回転する事無く上下方向へ滑らかに摺動する効果を有する。そして、上部ガイド孔から突き出たシャフトの上端部に降下点の係止ストッパーを設けてあるため、降下時には昇降筒の係止ストッパーが固定筒の上部ガイド孔の金具に係止して降下点となって支持され、一方、固定筒の上部に設けた係止鉤と昇降筒の上部に設けた係止片とで着脱を自在となっているため、上昇時には係止鉤に係止片が当着して上昇点となって支持される。したがって、昇降筒は上下の２点に於いてのみ支持され、使用時には降下させ不用時には上昇さておく簡単な操作で構成の単純化を図り、安全確実性を維持し、価格の低廉化をも実現できる効果を発揮するものである。
【先行技術文献】
【特許文献】
【０００７】
【特許文献１】  特開２００８−２６７７３６号公報
【特許文献２】  特開２００３−２９４２８６号公報
【特許文献３】  特開２０１３−２９２６１号公報
【発明の概要】
【発明が解決しようとする課題】
【０００８】  ところで、特許文献１の排気用昇降フードは、当該公報の段落００１２、００１６、００１９、図２、図５、図６に示されるように、操作レバー１９を蝶板２０を軸として上方へ回動させることにより、垂下筒吸着磁石２２及び昇降筒吸着磁石２４が昇降筒１５及び垂下筒１４にから引き離されて昇降筒１５が昇降自由な状態となって任意の位置に移動させることができる。そして、所望の位置で再び操作レバー１９を下方に回動させることにより、垂下筒吸着磁石２２及び昇降筒吸着磁石２４が再び昇降筒１５及び垂下筒１４に吸着し昇降筒１５を所望の位置でしっかりと固定するように構成されたものである。しかしながら以下に示すような課題を有するものである。
（１）昇降筒１５を任意の位置に移動及び固定するにはその度に操作レバー１９の回動操作が必要であり煩わしく、片手で操作レバー１９の回動操作、もう一方の手で昇降筒１５を支えて上下移動といったように必ず両手で操作しなければならない。
（２）昇降筒１５を手で支えずに操作レバー１９を上方に回動操作をすると磁石が外れていきなり昇降筒１５が落下する。なお、昇降筒１５の上端にあるストッパー１８と垂下筒１４の下端にある大径部１４ａとが当接することにより、昇降筒１５が下方に抜け落ちないようにされている（段落００１７参照）が、急激な落下衝撃により排気用昇降フードに負担や損傷を与えてしまう。
（３）垂下筒１４は、磁石が吸着可能でなければならない故に、ＳＵＳ４３０やＳＵＳ４０３などのフェライト系ステンレスが用いられているため、錆びやすく耐食性に劣り、外観を損なう。
（４）昇降筒１５は、敢えて磁石の吸着力に抗して上下に摺動させて無理に昇降することが考えられるが、実際には垂下筒吸着磁石２２及び昇降筒吸着磁石２４とで、垂下筒１４にしっかりと吸着固定することを目的としているので、強力に吸着し過ぎて上下に摺動させて昇降することは困難である。【０００９】  特許文献２の加熱調理部付きテーブル個別排気用の排気装置は、駆動手段１８によってワイヤ１７を巻き上げることで下段のパイプ１３、中段のパイプ１４、下段のパイプ１３が順次上昇して伸縮における縮み動作がなされる。一方、伸縮における伸び動作は、上記のようにして縮んだ状態から駆動手段１８でワイヤ１７を繰出すことにより、下段のパイプ１３と中段のパイプ１４が順次その自重で下降することでなされる。なお駆動手段１８の動作制御とは何か明細書には具体的な記載はないが、操作スイッチの記載があるところからすれば電動モーターであると解され、操作スイッチで電動モーターを動作させてワイヤの巻き上げや繰出しをしてパイプの伸縮を行うように構成されたものである。しかしながら、以下に示すような課題を有するものである。
（１）肉を焼く際にコンロから発生する煙は高熱であるため、パイプなど煙の吸引経路も高熱に曝されることになる。このような部分やその近傍に駆動手段である電気モーターや操作スイッチなどの電気装置を備えることは配線の被覆が溶けたり焼けたりするなど危険を伴う。
（２）駆動手段を熱の影響がない程度に離間して駆動手段を備えればよいが、設置や電気配線の手間はコストに大きな影響を及ぼす。【００１０】  特許文献３の排気フードの昇降装置は、固定筒の内壁上下部に備えた金具のガイド孔に、昇降筒のシャフトが挿通しているから昇降筒は回転する事無く上下方向に摺動する。そして、昇降筒はシャフトの上端部の降下点の係止ストッパーによって最も下降した状態、一方、固定筒の上部の係止鉤と昇降筒の上部の係止片とを係止することによって昇降筒は最も上昇した状態の上下２点のみで支持されるように構成されたものである。しかしながら以下に示すような課題を有するものである。
（１）シャフトが筒の中心軸ではなく偏芯した位置に備えられているため昇降筒が回転することなく、固定筒上部の係止鉤と昇降筒上部の係止片が常に係止可能な位置関係を維持することができるが、当該公報図１乃至図４に示されるように昇降筒３に備えられた係止片１１の下にある昇降用ハンドル１２の位置が周囲３６０°において一方向に限られてしまうため昇降操作が可能な位置が限られてしまう。例えば焼肉店のロースターテーブルで昇降用ハンドル１２がある側にいれば従業員や来店客にとって昇降操作がし易いが、反対側にいる場合は昇降操作が極めて困難である。
（２）昇降筒は下降した状態と最も上昇した状態の上下２点のみで支持されるので、中間の任意位置で固定することができず、肉を焼く際の煙の吸引位置の微妙な調整をすることができない。【００１１】  そこで、上記課題を解決し、昇降操作が容易で使い勝手と耐久性に優れた排煙フードの昇降構造を提供することを目的とする。
【課題を解決するための手段】
【００１２】  上記課題は本発明の請求項１によれば、昇降筒が垂下固定筒に摺動可能に挿通されるとともに任意の位置で固定可能な排煙フードにおいて、垂下固定筒に備えられた磁石部と、昇降筒に備えられた磁石スライドレールとを吸着させ、磁石部と磁石スライドレールとを吸着させた状態でスライド移動させることによって、昇降筒を自在に昇降させるとともに任意の位置で固定するように構成したことで解決される。【００１３】  上記課題は本発明の請求項２によれば、昇降筒が垂下固定筒に摺動可能に挿通されるとともに任意の位置で固定可能な排煙フードにおいて、垂下固定筒に備えられた磁石部と、昇降筒に備えられた磁石スライドレールとを吸着させ、磁石部と磁石スライドレールとを吸着させた状態でスライド移動させることによって、昇降筒を自在に昇降させるとともに任意の位置で固定するように構成し、
垂下固定筒に備えられた磁石部は、垂下固定筒の下端側開口部近傍の直径方向に渡って備えられた上方ステー部材の磁石スライドレールの貫通孔の上部に備えられ、
昇降筒に備えられた磁石スライドレールは、磁石が吸着可能な金属材で角棒あるいは角パイプから形成されるとともに昇降筒の下端側開口部近傍の直径方向に渡って備えられた下方ステー部材から立設され、垂下固定筒に備えられた上方ステー部材の磁石スライドレールの貫通孔及び磁石部の磁石スライドレールの貫通孔に挿通されて構成したことで解決される。【００１４】  上記課題は本発明の請求項３によれば、昇降筒が垂下固定筒に摺動可能に挿通されるとともに任意の位置で固定可能な排煙フードにおいて、垂下固定筒に備えられた磁石部と、昇降筒に備えられた磁石スライドレールとを吸着させ、磁石部と磁石スライドレールとを吸着させた状態でスライド移動させることによって、昇降筒を自在に昇降させるとともに任意の位置で固定するように構成し、垂下固定筒に備えられた磁石部は、垂下固定筒の下端側開口部近傍の直径方向に渡って備えられた上方ステー部材の磁石スライドレールの貫通孔の上部に備えられ、昇降筒に備えられた磁石スライドレールは、磁石が吸着可能な金属材で角棒あるいは角パイプから形成されるとともに昇降筒の下端側開口部近傍の直径方向に備えられた下方ステー部材から立設され、垂下固定筒に備えられた上方ステー部材の磁石スライドレールの貫通孔及び磁石部の磁石スライドレールの貫通孔に挿通されるとともに、垂下固定筒の上方ステー部材と昇降筒の下方ステー部材との間にコイルスプリングを備えて構成したことで解決される。【００１５】  上記課題は本発明の請求項４によれば、昇降筒が垂下固定筒に摺動可能に挿通されるとともに任意の位置で固定可能な排煙フードにおいて、垂下固定筒の外面に備えられた磁石と、昇降筒の内面とを吸着させた状態で、昇降筒をスライド移動させることによって、昇降筒を自在に昇降させるとともに任意の位置で固定するように構成したことで解決される。【００１６】  上記課題は本発明の請求項５によれば、昇降筒が垂下固定筒に摺動可能に挿通されるとともに任意の位置で固定可能な排煙フードにおいて、垂下固定筒の外面に備えられた磁石と、昇降筒の内面とを吸着させた状態で、昇降筒をスライド移動させることによって、昇降筒を自在に昇降させるとともに任意の位置で固定するように構成し、垂下固定筒の下端側開口部近傍の直径方向に渡って備えられた上方ステー部材と昇降筒の下端側開口部近傍の直径方向に渡って備えられた下方ステー部材とを備えるとともに、垂下固定筒の上方ステー部材と昇降筒の下方ステー部材との間にコイルスプリングを備えて構成したことで解決される。【００１７】  上記課題は本発明の請求項６によれば、昇降筒が垂下固定筒に摺動可能に挿通されるとともに任意の位置で固定可能な排煙フードにおいて、垂下固定筒に備えられた磁石部と、昇降筒に備えられた磁石スライドレールとを吸着させ、磁石部と磁石スライドレールとを吸着させた状態でスライド移動させることによって、昇降筒を自在に昇降させるとともに任意の位置で固定するように構成し、垂下固定筒に備えられた磁石部は、垂下固定筒の外周面に備えられ、昇降筒に備えられた磁石スライドレールは、昇降筒の内周面に立設されるように構成したことで解決される。【００１８】  上記課題は本発明の請求項��によれば、昇降筒が垂下固定筒に摺動可能に挿通されるとともに任意の位置で固定可能な排煙フードにおいて、垂下固定筒に備えられた磁石部と、昇降筒に備えられた磁石スライドレールとを吸着させ、磁石部と磁石スライドレールとを吸着させた状態でスライド移動させることによって、昇降筒を自在に昇降させるとともに任意の位置で固定するように構成し、垂下固定筒に備えられた磁石部は、垂下固定筒の外周面に備えられ、昇降筒に備えられた磁石スライドレールは、昇降筒の内周面に立設されるとともに、垂下固定筒の下端側開口部近傍の直径方向に渡って備えられた上方ステー部材と昇降筒の下端側開口部近傍の直径方向に渡って備えられた下方ステー部材とを備えるとともに、垂下固定筒の上方ステー部材と昇降筒の下方ステー部材との間にコイルスプリングを備えて構成したことで解決される。【００１９】  また、上記課題は本発明の請求項８によれば、昇降筒の下端側開口部にグリスフィルタを着脱可能に格納したことで解決される。
【発明の効果】
【００２０】  本発明の請求項１によれば、昇降筒が垂下固定筒に摺動可能に挿通されるとともに任意の位置で固定可能な排煙フードにおいて、垂下固定筒に備えられた磁石部と、昇降筒に備えられた磁石スライドレールとを吸着させ、磁石部と磁石スライドレールとを吸着させた状態でスライド移動させることによって、昇降筒を自在に昇降させるとともに任意の位置で固定するように構成したので、昇降筒の昇降操作が容易かつスムーズで使い勝手と耐久性に優れた排煙フードの昇降構造を提供することを可能とした。【００２１】  本発明の請求項２によれば、昇降筒が垂下固定筒に摺動可能に挿通されるとともに任意の位置で固定可能な排煙フードにおいて、垂下固定筒に備えられた磁石部と、昇降筒に備えられた磁石スライドレールとを吸着させ、磁石部と磁石スライドレールとを吸着させた状態でスライド移動させることによって、昇降筒を自在に昇降させるとともに任意の位置で固定するように構成し、垂下固定筒に備えられた磁石部は、垂下固定筒の下端側開口部近傍の直径方向に渡って備えられた上方ステー部材の磁石スライドレールの貫通孔の上部に備えられ、昇降筒に備えられた磁石スライドレールは、磁石が吸着可能な金属材で角棒あるいは角パイプから形成されるとともに昇降筒の下端側開口部近傍の直径方向に渡って備えられた下方ステー部材から立設され、垂下固定筒に備えられた上方ステー部材の磁石スライドレールの貫通孔及び磁石部の磁石スライドレールの貫通孔に挿通されて構成したので、昇降筒が回転することなく、昇降筒の昇降操作が容易で使い勝手と耐久性に優れた排煙フードの昇降構造を提供することを可能とした。【００２２】  本発明の請求項３によれば、昇降筒が垂下固定筒に摺動可能に挿通されるとともに任意の位置で固定可能な排煙フードにおいて、垂下固定筒に備えられた磁石部と、昇降筒に備えられた磁石スライドレールとを吸着させ、磁石部と磁石スライドレールとを吸着させた状態でスライド移動させることによって、昇降筒を自在に昇降させるとともに任意の位置で固定するように構成し、垂下固定筒に備えられた磁石部は、垂下固定筒の下端側開口部近傍の直径方向に渡って備えられた上方ステー部材の磁石スライドレールの貫通孔の上部に備えられ、昇降筒に備えられた磁石スライドレールは、磁石が吸着可能な金属材で角棒あるいは角パイプから形成されるとともに昇降筒の下端側開口部近傍の直径方向に備えられた下方ステー部材から立設され、垂下固定筒に備えられた上方ステー部材の磁石スライドレールの貫通孔及び磁石部の磁石スライドレールの貫通孔に挿通されるとともに、
垂下固定筒の上方ステー部材と昇降筒の下方ステー部材との間にコイルスプリングを備えて構成したので、昇降筒が回転することなく、また焼肉の煙によって磁石部が高温になり吸着力が低下したとしても、昇降筒の自重によって自然に降下してしまうことなく、磁石によって吸着固定された位置を維持するバランスのとれた吸着力が得られるとともに昇降操作が容易で使い勝手と耐久性に優れた排煙フードの昇降構造を提供することを可能とした。【００２３】  本発明の請求項４によれば、昇降筒が垂下固定筒に摺動可能に挿通されるとともに任意の位置で固定可能な排煙フードにおいて、垂下固定筒の外面に備えられた磁石と、昇降筒の内面とを吸着させた状態で、昇降筒をスライド移動させることによって、昇降筒を自在に昇降させるとともに任意の位置で固定するように構成したので、昇降筒の昇降操作が容易かつスムーズで使い勝手と耐久性に優れた排煙フードの昇降構造を提供することを可能とした。【００２４】  本発明の請求項５によれば、昇降筒が垂下固定筒に摺動可能に挿通されるとともに任意の位置で固定可能な排煙フードにおいて、垂下固定筒の外面に備えられた磁石と、昇降筒の内面とを吸着させた状態で、昇降筒をスライド移動させることによって、昇降筒を自在に昇降させるとともに任意の位置で固定するように構成し、垂下固定筒の下端側開口部近傍の直径方向に渡って備えられた上方ステー部材と昇降筒の下端側開口部近傍の直径方向に渡って備えられた下方ステー部材とを備えるとともに、垂下固定筒の上方ステー部材と昇降筒の下方ステー部材との間にコイルスプリングを備えて構成したので、焼肉の煙によって磁石部が高温になり吸着力が低下したとしても、昇降筒の自重によって自然に降下してしまうことなく、磁石によって吸着固定された位置を維持するバランスのとれた吸着力が得られるとともに、昇降操作が容易で使い勝手と耐久性に優れた排煙フードの昇降構造を提供することを可能とした。【００２５】  本発明の請求項６によれば、昇降筒が垂下固定筒に摺動可能に挿通されるとともに任意の位置で固定可能な排煙フードにおいて、垂下固定筒に備えられた磁石部と、昇降筒に備えられた磁石スライドレールとを吸着させ、磁石部と磁石スライドレールとを吸着させた状態でスライド移動させることによって、昇降筒を自在に昇降させるとともに任意の位置で固定するように構成し、垂下固定筒に備えられた磁石部は、垂下固定筒の外周面に備えられ、昇降筒に備えられた磁石スライドレールは、昇降筒の内周面に立設されるように構成したので、昇降筒が回転することなく、昇降操作が容易で使い勝手と耐久性に優れた排煙フードの昇降構造を提供することを可能とした。【００２６】  本発明の請求項７によれば、昇降筒が垂下固定筒に摺動可能に挿通されるとともに任意の位置で固定可能な排煙フードにおいて、垂下固定筒に備えられた磁石部と、昇降筒に備えられた磁石スライドレールとを吸着させ、磁石部と磁石スライドレールとを吸着させた状態でスライド移動させることによって、昇降筒を自在に昇降させるとともに任意の位置で固定するように構成し、垂下固定筒に備えられた磁石部は、垂下固定筒の外周面に備えられ、昇降筒に備えられた磁石スライドレ���ルは、昇降筒の内周面に立設されるとともに、垂下固定筒の下端側開口部近傍の直径方向に渡って備えられた上方ステー部材と
昇降筒の下端側開口部近傍の直径方向に渡って備えられた下方ステー部材とを備えるとともに、垂下固定筒の上方ステー部材と昇降筒の下方ステー部材との間にコイルスプリングを備えて構成したので、焼肉の煙によって磁石部が高温になり吸着力が低下したとしても、昇降筒の自重によって自然に降下してしまうことなく、磁石によって吸着固定された位置を維持するバランスのとれた吸着力が得られるとともに、昇降操作が容易で使い勝手と耐久性に優れた排煙フードの昇降構造を提供することを可能とした。【００２７】  また、本発明の請求項８によれば、昇降筒の下端側開口部にグリスフィルタを着脱可能に格納したので、昇降操作が容易で使い勝手と耐久性に優れるとともに、グリスフィルタで焼肉の際に生じる煙に含まれる油分（グリス）を高効率で捕捉すること、容易に取り外しが可能でコンパクトであることから容易に日常的に業務用食洗機で洗浄してすることができるので、グリスフィルタで捕捉した排煙の油分がグリス受けに溜まることがなく、防炎効果を飛躍的に向上させて火災リスクを低減することができ、昇降筒（３）の下端で煙の油分を捕捉するので、それ以降の排煙経路の排煙ダクト内壁への油分付着が減少して排煙ダクトの洗浄など配管設備メンテナンス時期を大きく伸ばすことなどの優れた効果を得ることができる。
【図面の簡単な説明】
【００２８】
【図１】昇降筒を下げた状態を示す図である。
【図２】昇降筒を上げた状態を示す図である。
【図３】本発明の第１実施例の垂下固定筒と昇降筒を分離した状態を示す図である。
【図４】本発明の第１実施例の昇降筒を下げた状態を示す図である。
【図５】本発明の第１実施例の昇降筒を上げた状態を示す図である。
【図６】本発明の第１実施例の磁石部分の拡大図である。
【図７】図５及び図９のＡ−Ａ線拡大平面図である。
【図８】本発明の第２実施例の昇降筒を下げた状態を示す図である。
【図９】本発明の第２実施例の昇降筒を上げた状態を示す図である。
【図１０】本発明の第２実施例のスプリングの装着状態を示す図である。
【図１１】本発明の第３実施例の昇降筒を下げた状態を示す図である。
【図１２】本発明の第３実施例の昇降筒を上げた状態を示す図である。
【図１３】図１２のＡ−Ａ線拡大断面図である。
【図１４】本発明の第４実施例の昇降筒を下げた状態を示す図である。
【図１５】本発明の第４実施例の昇降筒を上げた状態を示す図である。
【図１６】本発明の第５実施例の昇降筒を下げた状態を示す図である。
【図１７】本発明の第５実施例の昇降筒を上げた状態を示す図である。
【図１８】図１７のＡ−Ａ線拡大断面図である。
【図１９】本発明の第６実施例の昇降筒を下げた状態を示す図である。
【図２０】本発明の第６実施例の昇降筒を上げた状態を示す図である。
【図２１】本発明の第７実施例の排煙フードにグリスフィルタを格納した全体図である。
【図２２】本発明の第７実施例の昇降筒とグリスフィルタを分離した状態を示す図である。
【図２３】本発明の第７実施例のグリスフィルタの部品構成を示す説明図である。
【図２４】本発明の第７実施例のグリスフィルタを重ね合わせた状態を示す断面図である。
【図２５】本発明の第７実施例のグリスフィルタの排煙の流れを示す図である。
【発明を実施させるための形態】
【実施例１】
【００２９】  本発明の、第１の実施例について図面を参照して詳細に説明する。図３乃至図７は、本発明の第１の実施例を示す図である。図３は、垂下固定筒（２）と昇降筒（３）を分離した状態、図４は、昇降筒（３）を下げた状態、図５は、昇降筒（３）を上げた状態を示す図である。排煙フードの本体（１）は、図３に示されるように垂下固定筒（２）と昇降筒（３）とからなり、図４及び図５に示されるように垂下固定筒（２）の外側に昇降筒（３）を上下に摺動可能に挿通される。垂下固定筒（２）と昇降筒（３）は、耐蝕性や外観に優れるステンレス製のパイプからなり、特に、オーステナイト系のステンレスＳＵＳ３０４が好適に用いられる。【００３０】  垂下固定筒（２）の下端近傍の外周面には円周上均等に複数のガイド突起（２ａ）が備えられ、垂下固定筒（２）の外側に摺動可能に挿通された昇降筒（３）の内周面に当接することによって昇降筒（３）のガタつきや偏芯を防止してスムーズな昇降操作を可能にする。また、昇降筒（３）の上端開口部には、垂下固定筒（２）との隙間を塞ぐスペーサーリング（３ａ）が嵌換され、ガイド突起（２ａ）とスペーサーリング（３ａ）とによって確実にガタつきや偏芯を防止してスムーズな昇降操作を可能にする。【００３１】  垂下固定筒（２）の下端開口部の近傍には直径方向に渡って上方ステー（４）が備えられ、上方ステー（４）の両端をアングル（４ａ）によって垂下固定筒（２）の内周面にスポット溶接、ビス止めなどの止着手段（図示せず）によって固定される。なお、アングル（４ａ）を用いずに上方ステー（４）の両端を下方や上方に折り曲げても良いし、折り曲げずにそのまま溶接して止着しても良い。【００３２】  図６は、磁石部分の拡大図、図７は、図５のＡ−Ａ線拡大平面図で磁石部（５）と上方ステー（４）部分のみ示したものである。図６に示されるように、垂下固定筒（２）に備えられた上方ステー（４）の中央には、後述する磁石スライドレール（７）を挿通するための四角穴の貫通孔（４ｂ）が開孔される。また、上方ステー（４）の貫通孔（４ｂ）の上部には磁石部（５）が備えられる。磁石部（５）は、磁石（５ａ）と磁石ボックス（５ｂ）とからなり、磁石ボックス（５ｂ）は、軟鉄（ＳＳ４００など）からなり表面に耐蝕のためのメッキが施され、磁石（５ａ）の外側を覆って磁石（５ａ）を固定するとともに磁石ボックス（５ｂ）の上部に貫通孔（４ｂ）と略同サイズの磁石スライドレール（７）を挿通するための四角穴の貫通孔（５ｃ）が開孔される。また、磁石ボックス（５ｂ）は、磁石（５ａ）の吸着力を増幅するヨークとしての役割も果たす。なお、磁石ボックス（５ｂ）は、上方ステー（４）に溶接などの止着手段によって固定される。【００３３】  図７は、図５のＡ−Ａ線拡大平面図で、磁石部（５）と上方ステー（４）部分のみ示したものである。また、磁石（５ａ）の（Ａ）（Ｂ）（Ｃ）の配置パターンを示した。図５（Ａ）は、磁石（５ａ）が１個で磁石スライドレール（７）の側面に吸着されるパターン、図５（Ｂ）は、磁石（５ａ）が２個で磁石スライドレール（７）の両側面に吸着されるパターン、図５（Ｃ）は、磁石（５ａ）が４個で磁石スライドレール（７）のすべての側面に��着されるパターンを示している。【００３４】  このようにいくつかの磁石（５ａ）の配置パターンを用意する意味は、磁石スライドレール（７）への磁石の吸着力をコントロールするためである。排煙フードの本体（１）を焼肉店に設置する場合、店舗の天井高による排煙ダクトの高さ位置、ロースターテーブルの高さによって垂下固定筒（２）及び昇降筒（３）の長さの設計寸法が異なる。このため、垂下固定筒（２）から吊り下げられる昇降筒（３）の長さの違いによる重量の影響を考慮する必要がある。昇降筒（３）の重量と磁石（５ａ）の吸着力のバランスが保たれているときは、昇降筒（３）はその自重により降下せず磁石（５ａ）によって吸着固定された位置を維持することができる。他方、昇降筒（３）の重量と磁石（５ａ）のバランスが崩れたとき、すなわち昇降筒（３）の自重が磁石（５ａ）の吸着力よりも勝っているときは、昇降筒（３）はその自重により降下して磁石（５ａ）によって吸着固定された位置を維持することができなくなる。本発明では、磁石を吸着面に対して垂直方向に引き離すときには大きな力が必要であるが、吸着面に対して並行に移動させる（スライドして移動させる）ときには小さな力で事足りるという特性を利用しているため、この点は特に重要である。【００３５】  例えば、昇降筒（３）が短くて軽量であれば磁石（５ａ）の吸着力はさほど強い必要はなく図５（Ａ）の磁石が１個のパターンを選択すればよい。また、昇降筒（３）が長くて重量であれば磁石（５ａ）の吸着力は強い必要があるので図５（Ｃ）の磁石が４個のパターンを選択すればよい。さらに、前記した昇降筒（３）の長さが短くも長くもないような場合は図５（Ｂ）の磁石が２個のパターンを選択すればよい。このように昇降筒（３）の重量の軽重に応じて磁石の数やサイズを変えたり、磁石自体の吸着力など適宜設計して、昇降筒（３）の重量と磁石（５ａ）の吸着力のバランスを保つようにして、垂下固定筒（２）に摺動可能に挿通された昇降筒（３）の昇降操作を手で行う際、磁石（５ａ）が強力に吸着し過ぎて昇降操作が困難になることなく、また、昇降筒（３）の自重によって自然に降下してしまうことなく、磁石（５ａ）によって吸着固定された位置を維持するバランスのとれた吸着力が得られることになる。【００３６】  なお、磁石（５ａ）は、サマリウムコバルト磁石が好適に用いられる。サマリウムコバルト磁石は、最も強いネオジム磁石に次ぐ磁力を持つとともに、磁性がなくなる温度であるキュリー温度が７００℃から８００℃と非常に高く、最大で３５０℃程度での環境でも使用できるため、特に高温の煙を吸引する排煙フードに用いるには好適である。もちろん、磁石の吸着力のコントロールのためにネオジム磁石、フェライト磁石などを適宜用いても良い。【００３７】  図３乃至図５に示されるように、昇降筒（３）の下端開口部の近傍には直径方向に渡って下方ステー（６）が備えられ、下方ステー（６）の両端をアングル（６ａ）によって昇降筒（３）の内周面にスポット溶接、ビス止めなどの止着手段（図示せず）によって固定される。なお、アングル（６ａ）を用いずに下方ステー（６）の両端を下方や上方に折り曲げても良いし、折り曲げずにそのまま溶接して止着しても良い。【００３８】  昇降筒（３）の下端開口部に備えられた下方ステー（６）の中央には、四角穴の貫通孔（図示せず）が開孔され、磁石スライドレール（７）を下から挿通し、磁石スライドレール（７）下端の下部ストッパー（７ａ）が下方ステー（６）の底面に突き当たることで固定されて下方ステー（６）の中央から磁石スライドレール（７）が立設される。なお、下部ストッパー（７ａ）と下方ステー（６）とは、溶接、ビス止めなどの止着手段（図示せず）によって固定される。【００３９】  磁石スライドレール（７）は、磁石が吸着する特性のあるマルテンサイト系のステンレス（例えばＳＵＳ４１０）、フェライト系ステンレス（例えばＳＵＳ４３０）などの角棒あるいは角パイプからなり、磁石（５ａ）が側面に吸着することによって昇降筒（３）の上下位置が固定されるとともに、昇降筒（３）を手で昇降操作（上下移動させること）することによって、磁石（５ａ）が磁石スライドレール（７）の側面に吸着しつつスムーズにスライドして、任意の高さ位置で昇降操作を止めることで固定することが可能となる。本発明においては、磁石を吸着面に対して垂直方向に引き離すときには大きな力が必要であるが、吸着面に対して並行に移動させる（スライドして移動させる）ときには小さな力で事足りるといういう特性を利用した。【００４０】  そして、下方ステー（６）の中央から立設された磁石スライドレール（７）は、垂下固定筒（２）の上方ステー（４）に開孔された四角穴の貫通孔（４ｂ）と磁石部（５）の四角穴の貫通孔（５ｃ）に挿通されて上方に突き出る態様となり、磁石スライドレール（７）の上端部には、上部ストッパー（７ｂ）が備えられて磁石ボックス（５ｂ）の上面（貫通孔（５ｃ）の周囲）に当接することによって昇降筒（３）を最も下げたときの位置決めと昇降筒（３）の抜け落ちを防止する。このように磁石スライドレール（７）は、昇降筒（３）の下方ステー（６）と垂下固定筒（２）の上方ステー（４）との間に昇降筒（３）と垂下固定筒（２）の中心軸に沿って立設配置される。また、磁石スライドレール（７）は、角棒あるいは角パイプであって上方ステー（４）の四角穴の貫通孔（４ｂ）と磁石部（５）の四角穴の貫通孔（５ｃ）に挿通されて組み立てられるので、昇降筒（３）が回転することがない。【００４１】  このように構成された第１実施例の本体（１）は、垂下固定筒（２）に備えられた磁石（５ａ）と、昇降筒（３）に備えられた磁石（５ａ）が吸着可能な金属材で角棒あるいは角パイプから形成された磁石スライドレール（７）の側面とを吸着させ、磁石の吸着面に対して垂直方向に引き離すときには大きな力が必要であるが、吸着面に対して並行に移動させる（スライドして移動させる）ときには小さな力で事足りるという特性を利用して昇降筒（３）を上下方向にスムーズにスライド移動可能とするとともに任意の高さ位置で固定することを可能とした。また、昇降筒（３）に備えられた磁石スライドレール（７）は、角棒あるいは角パイプから形成され、上方ステー（４）の四角穴の貫通孔（４ｂ）と磁石部（５）の四角穴の貫通孔（５ｃ）に挿通されて組み立てられるので、昇降筒（３）が回転することがなく昇降操作と任意���高さ位置での固定が容易で使い勝手と耐久性に優れた排煙フードの昇降構造を提供することを可能とした。
【実施例２】
【００４２】  本発明の、第２の実施例について図８乃至図１０を参照して詳細に説明する。なお、第２の実施例においては、第１の実施例にスプリング（８）をさらに追加したことを特徴としている。また、第１の実施例と共通する部分については、適宜図３乃至図７を用いて説明する。図８は、昇降筒（３）を下げた状態、図９は、昇降筒（３）を上げた状態、図１０は、スプリング（８）の装着状態を示す図である。【００４３】  第２実施例における排煙フードの本体（１）の基本的な構成は前記の第１実施例と同一である。本体（１）は、図３に示されるように垂下固定筒（２）と昇降筒（３）とからなり、図８及び図９に示されるように垂下固定筒（２）の外側に昇降筒（３）を上下に摺動可能に挿通される。垂下固定筒（２）と昇降筒（３）は、耐蝕性や外観に優れるステンレス製のパイプからなり、特に、オーステナイト系のステンレスＳＵＳ３０４が好適に用いられる。【００４４】  図８及び図９に示されるように、垂下固定筒（２）の下端近傍の外周面には円周上均等に複数のガイド突起（２ａ）が備えられ、垂下固定筒（２）の外側に摺動可能に挿通された昇降筒（３）の内周面に当接することによって昇降筒（３）のガタつきや偏芯を防止してスムーズな昇降操作を可能にする。また、昇降筒（３）の上端開口部には、垂下固定筒（２）との隙間を塞ぐスペーサーリング（３ａ）が嵌換され、ガイド突起（２ａ）とスペーサーリング（３ａ）とによって確実にガタつきや偏芯を防止してスムーズな昇降操作を可能にする。【００４５】  垂下固定筒（２）の下端開口部の近傍には直径方向に渡って上方ステー（４）が備えられ、上方ステー（４）の両端をアングル（４ａ）によって垂下固定筒（２）の内周面にスポット溶接、ビス止めなどの止着手段（図示せず）によって固定される。また、上方ステー（４）の中央の下面にフック（４ｃ）が備えられ、後述するスプリング（８）の上端を引っ掛ける。なお、アングル（４ａ）を用いずに上方ステー（４）の両端を下方や上方に折り曲げても良いし、折り曲げずにそのまま溶接して止着しても良い。【００４６】  図６は、磁石部分の拡大図、図７は、図５のＡ−Ａ線拡大平面図で磁石部（５）と上方ステー（４）部分のみ示したものである。図６に示されるように、垂下固定筒（２）に備えられた上方ステー（４）の中央には、後述する磁石スライドレール（７）を挿通するための四角穴の貫通孔（４ｂ）が開孔される。また、上方ステー（４）の貫通孔（４ｂ）の上部には磁石部（５）が備えられる。磁石部（５）は、磁石（５ａ）と磁石ボックス（５ｂ）とからなり、磁石ボックス（５ｂ）は、軟鉄（ＳＳ４００など）からなり表面に耐蝕のためのメッキが施され、磁石（５ａ）の外側を覆って磁石（５ａ）を固定するとともに磁石ボックス（５ｂ）の上部に貫通孔（４ｂ）と略同サイズの磁石スライドレール（７）を挿通するための四角穴の貫通孔（５ｃ）が開孔される。また、磁石ボックス（５ｂ）は、磁石（５ａ）の吸着力を増幅するヨークとしての役割も果たす。なお、磁石ボックス（５ｂ）は、上方ステー（４）に溶接などの止着手段によって固定される。【００４７】  図７は、図５のＡ−Ａ線拡大平面図で、磁石部（５）と上方ステー（４）部分のみ示したものである。また、磁石（５ａ）の（Ａ）（Ｂ）（Ｃ）の配置パターンを示した。図５（Ａ）は、磁石（５ａ）が１個で磁石スライドレール（７）の側面に吸着されるパターン、図５（Ｂ）は、磁石（５ａ）が２個で磁石スライドレール（７）の両側面に吸着されるパターン、図５（Ｃ）は、磁石（５ａ）が４個で磁石スライドレール（７）のすべての側面に吸着されるパターンを示している。【００４８】  このようにいくつかの磁石（５ａ）の配置パターンを用意する意味は、磁石スライドレール（７）への磁石の吸着力をコントロールするためである。排煙フードの本体（１）を焼肉店に設置する場合、店舗の天井高による排煙ダクトの高さ位置、ロースターテーブルの高さによって垂下固定筒（２）及び昇降筒（３）の長さの設計寸法が異なる。このため、垂下固定筒（２）から吊り下げられる昇降筒（３）の長さの違いによる重量の影響を考慮する必要がある。昇降筒（３）の重量と磁石（５ａ）の吸着力のバランスが保たれているときは、昇降筒（３）はその自重により降下せず磁石（５ａ）によって吸着固定された位置を維持することができる。他方、昇降筒（３）の重量と磁石（５ａ）のバランスが崩れたとき、すなわち昇降筒（３）の自重が磁石（５ａ）の吸着力よりも勝っているときは、昇降筒（３）はその自重により降下して磁石（５ａ）によって吸着固定された位置を維持することができなくなる。本発明では、磁石を吸着面に対して垂直方向に引き離すときには大きな力が必要であるが、吸着面に対して並行に移動させる（スライドして移動させる）ときには小さな力で事足りるという特性を利用しているため、この点は特に重要である。【００４９】  例えば、昇降筒（３）が短くて軽量であれば磁石（５ａ）の吸着力はさほど強い必要はなく図５（Ａ）の磁石が１個のパターンを選択すればよい。また、昇降筒（３）が長くて重量であれば磁石（５ａ）の吸着力は強い必要があるので図５（Ｃ）の磁石が４個のパターンを選択すればよい。さらに、前記した昇降筒（３）の長さが短くも長くもないような場合は図５（Ｂ）の磁石が２個のパターンを選択すればよい。このように昇降筒（３）の重量の軽重に応じて磁石の数やサイズを変えたり、磁石自体の吸着力など適宜設計して、昇降筒（３）の重量と磁石（５ａ）の吸着力のバランスを保つようにして、垂下固定筒（２）に摺動可能に挿通された昇降筒（３）の昇降操作を手で行う際、磁石（５ａ）が強力に吸着し過ぎて昇降操作が困難になることなく、また、昇降筒（３）の自重によって自然に降下してしまうことなく、磁石（５ａ）によって吸着固定された位置を維持するバランスのとれた吸着力が得られることになる。【００５０】  なお、磁石（５ａ）は、サマリウムコバルト磁石が好適に用いられる。サマリウムコバルト磁石は、最も強いネオジム磁石に次ぐ磁力を持つとともに、磁性がなくなる温度であるキュリー温度が７００℃から８００℃と非常に高く、最大で３５０℃程度での環境でも使用できるため、特に高温の煙を吸引する排煙フードに用いるには好適である。もちろん、磁石の吸着力のコントロールのためにネオジム磁石、フェライト磁石などを適宜用いても良い。【００５１】  図８及び図９に示され���ように、昇降筒（３）の下端開口部の近傍には直径方向に渡って下方ステー（６）が備えられ、下方ステー（６）の両端をアングル（６ａ）によって昇降筒（３）の内周面にスポット溶接、ビス止めなどの止着手段（図示せず）によって固定される。また、図１０に示されるように下方ステー（６）の中央の上面にフック（６ｂ）が備えられ、後述するスプリング（８）の下端を引っ掛ける。なお、アングル（６ａ）を用いずに下方ステー（６）の両端を下方や上方に折り曲げても良いし、折り曲げずにそのまま溶接して止着しても良い。【００５２】  昇降筒（３）の下端開口部に備えられた下方ステー（６）の中央には、四角穴の貫通孔（図示せず）が開孔され、磁石スライドレール（７）を下から挿通し、磁石スライドレール（７）下端の下部ストッパー（７ａ）が下方ステー（６）の底面に突き当たることで固定されて下方ステー（６）の中央から磁石スライドレール（７）が立設される。なお、下部ストッパー（７ａ）と下方ステー（６）とは、溶接、ビス止めなどの止着手段（図示せず）によって固定される。【００５３】  磁石スライドレール（７）は、磁石が吸着する特性のあるマルテンサイト系のステンレス（例えばＳＵＳ４１０）、フェライト系ステンレス（例えばＳＵＳ４３０）などの角棒あるいは角パイプからなり、磁石（５ａ）が側面に吸着することによって昇降筒（３）の上下位置が固定されるとともに、昇降筒（３）を手で昇降操作（上下移動させること）することによって、磁石（５ａ）が磁石スライドレール（７）に吸着しつつスムーズにスライドして、任意の高さ位置で昇降操作を止めることで固定することが可能となる。本発明においては、磁石を吸着面に対して垂直方向に引き離すときには大きな力が必要であるが、吸着面に対して並行に移動させる（スライドして移動させる）ときには小さな力で事足りるという特性を利用した。【００５４】  そして、下方ステー（６）の中央から立設された磁石スライドレール（７）は、垂下固定筒（２）の上方ステー（４）に開孔された四角穴の貫通孔（４ｂ）と磁石部（５）の四角穴の貫通孔（５ｃ）に挿通されて上方に突き出る態様となり、磁石スライドレール（７）の上端部には、上部ストッパー（７ｂ）が備えられて磁石ボックス（５ｂ）の上面（貫通孔（５ｃ）の周囲）に当接することによって昇降筒（３）を最も下げたときの位置決めと昇降筒（３）の抜け落ちを防止する。このように磁石スライドレール（７）は、昇降筒（３）の下方ステー（６）と垂下固定筒（２）の上方ステー（４）との間に昇降筒（３）と垂下固定筒（２）の中心軸に沿って立設配置される。また、磁石スライドレール（７）は、角棒あるいは角パイプであって上方ステー（４）の四角穴の貫通孔（４ｂ）と磁石部（５）の四角穴の貫通孔（５ｃ）に挿通されて組み立てられるので、昇降筒（３）が回転することがない。【００５５】  第２の実施例においては、第１の実施例にスプリング（８）をさらに追加したことを特徴としている。図８は、昇降筒（３）を下げた状態でこのときスプリング（８）は伸びた状態である。また、図９は、昇降筒（３）を上げた状態でこのときスプリング（８）は縮んだ状態である。また、スプリング（８）は、引張方向に��を加えると戻ろうとする引張コイルスプリングを用いている。【００５６】  図１０は、スプリング（８）の装着状態を示す図で垂下固定筒（２）の下端開口部の近傍に備えられた上方ステー（４）下面のフック（４ｃ）と昇降筒（３）の下端開口部に備えられた下方ステー（６）上面のフック（６ｂ）とを備えて、スプリング（８）の上端をフック（４ｃ）に、下端をフック（６ｂ）に引っ掛けてスプリング（８）を上方ステー（４）と下方ステー（６）との間に装着し、下方ステー（６）が装着されている昇降筒（３）が垂下固定筒（２）から吊り下げられるように構成した。また、スプリング（８）は、引張コイルスプリングであるので、常に昇降筒（３）を引き上げる方向（スプリングの縮方向）に力が作用している。さらに、スプリング（８）は、垂下固定筒（２）と昇降筒（３）がガタつかずにスムーズに摺動するためと、垂下固定筒（２）と昇降筒（３）の筒内のスペース有効活用の観点から、磁石スライドレール（７）をスプリング（８）のコイル内に挿通させて、磁石スライドレール（７）とスプリング（８）はともに昇降筒（３）と垂下固定筒（２）の中心軸に沿って立設配置される。【００５７】  スプリング（８）は、昇降筒（３）の下端開口部から焼肉の際に生じた高温の煙を吸引した際に、磁石（５ａ）が高温となって磁力（吸着力）が低下したとしても、昇降筒（３）が自重で降りてしまうことを防止し、固定された位置を維持するために備えられている。また、スプリング（８）は、昇降筒（３）の重量に応じて前記した磁石の吸着力のコントロールと協同してスプリングレートを適宜設定したものを使用することによって、垂下固定筒（２）に摺動可能に挿通された昇降筒（３）の昇降操作を手で行う際、磁石（５ａ）が強力に吸着し過ぎて昇降操作が困難になることなく、また、昇降筒（３）の自重によって自然に降下してしまうことなく、磁石（５ａ）によって吸着固定された位置を維持することができるバランスのとれた吸着力が得られることになる。【００５８】  このように構成された第２実施例の本体（１）は、垂下固定筒（２）に備えられた磁石（５ａ）と、昇降筒（３）に備えられた磁石（５ａ）が吸着可能な金属材で角棒あるいは角パイプから形成された磁石スライドレール（７）の側面とを吸着させ、磁石の吸着面に対して垂直方向に引き離すときには大きな力が必要であるが、吸着面に対して並行に移動させる（スライドして移動させる）ときには小さな力で事足りるという特性を利用して昇降筒（３）を上下方向にスムーズにスライド移動可能とするとともに任意の高さ位置で固定することを可能とした。また、昇降筒（３）に備えられた磁石スライドレール（７）は、角棒あるいは角パイプから形成され、垂下固定筒（２）に備えられた上方ステー（４）の四角穴の貫通孔（４ｂ）と磁石部（５）の四角穴の貫通孔（５ｃ）に挿通されて組み立てられるので、昇降筒（３）が回転することがない。さらに、スプリング（８）を上方ステー（４）と下方ステー（６）との間に備えるとともに、スプリング（８）のコイル内には磁石スライドレール（７）が位置するように備えたので、昇降筒（３）の下端開口部から焼肉の際に生じた高温の煙を吸引した際に、磁石（５ａ��が高温となって磁力（吸着力）が低下したとしても、昇降筒（３）が自重で降下してしまうことを防止し、固定された位置を維持することができる。
【実施例３】
【００５９】  本発明の、第３の実施例について図１１乃至図１３を参照して詳細に説明する。図１１は、昇降筒（３）を下げた状態、図１２は、昇降筒（３）を上げた状態を示す図、図１３は、図１２におけるＡ−Ａ線拡大断面図である。排煙フードの本体（１）は、図１１及び図１２に示されるように垂下固定筒（２）と昇降筒（３）とからなり、垂下固定筒（２）の外側に昇降筒（３）を上下に摺動可能に挿通される。垂下固定筒（２）は、耐蝕性や外観に優れるステンレス製のパイプからなり、特に、オーステナイト系のステンレスＳＵＳ３０４が好適に用いられる。また、昇降筒（３）は、磁石が吸着する特性のあるマルテンサイト系のステンレス（例えばＳＵＳ４１０）、フェライト系ステンレス（例えばＳＵＳ４３０）などのステンレス製のパイプからなる。【００６０】  垂下固定筒（２）の下端近傍の外周面には円周上均等に複数のガイド突起（２ａ）が備えられ、垂下固定筒（２）の外側に摺動可能に挿通された昇降筒（３）の内周面に当接することによって昇降筒（３）のガタつきを防止すると同時にスムーズな昇降操作を可能にする。また、昇降筒（３）の上端開口部には、垂下固定筒（２）との隙間を塞ぐスペーサーリング（３ａ）が嵌換され、ガイド突起（２ａ）とスペーサーリング（３ａ）とによってより確実にガタつきや偏芯を防止してスムーズな昇降操作を可能にする。【００６１】  また、図１１及び図１２に示されるように、垂下固定筒（２）の下方の直径は上方よりも太く形成され、太く形成された部分の外周面には、円周上均等に複数のガイド溝（９）が縦方向（筒の長手方向）に形成され、ガイド溝（９）の中に複数の磁石（５ａ）が配置して備えられる。なお、垂下固定筒（２）の下方の直径は上方よりも太く形成されているが、上方と一体に形成されていても上方とは別体に形成されていてもよい。【００６２】  図１１及び図１２に示されるように、昇降筒（３）の下端開口部内周面にはアングル状のストッパー（３ｂ）が備えられ、スポット溶接、ビス止めなどの止着手段（図示せず）によって固定される。また、図１２に示されるように昇降筒（３）を最も上方に移動させたとき、ストッパー（３ｂ）が垂下固定筒（２）の下端部に当接してそれ以上、上に移動することを防止する。一方、図１１に示されるように昇降筒（３）を最も下方に移動させたとき、垂下固定筒（３）の太く形成された上の部分とスペーサーリング（３ａ）が当接してそれ以上、下に降下することを防止する。【００６３】  磁石（５ａ）は、図１１及び図１２において、１本のガイド溝（９）に２個（合計で６個）の磁石が配置して備えられているが、適宜磁石（５ａ）の数量や吸着力を変えることができる。これは、昇降筒（３）への磁石の吸着力をコントロールするためである。排煙フードの本体（１）を焼肉店に設置する場合、店舗の天井高による排煙ダクトの高さ位置、ロースターテーブルの高さによって垂下固定筒（２）及び昇降筒（３）の長さの設計寸法が異なる。このため、垂下固定筒（２）から吊り下げられる昇降筒（３）の長さの違いによる重量の影響を考慮する必要がある。昇降筒（３）の重量と磁石（５ａ）の吸着力のバランスが保たれているときは、昇降筒（３）はその自��により降下せず磁石（５ａ）によって吸着固定された位置を維持することができる。他方、昇降筒（３）の重量と磁石（５ａ）のバランスが崩れたとき、すなわち昇降筒（３）の自重が磁石（５ａ）の吸着力よりも勝っているときは、昇降筒（３）はその自重により降下して磁石（５ａ）によって吸着固定された位置を維持することができなくなる。本発明では、磁石を吸着面に対して垂直方向に引き離すときには大きな力が必要であるが、吸着面に対して並行に移動させる（スライドして移動させる）ときには小さな力で事足りるという特性を利用しているため、この点は特に重要である。【００６４】  なお、磁石（５ａ）は、サマリウムコバルト磁石が好適に用いられる。サマリウムコバルト磁石は、最も強いネオジム磁石に次ぐ磁力を持つとともに、磁性がなくなる温度であるキュリー温度が７００℃から８００℃と非常に高く、最大で３５０℃程度での環境でも使用できるため、特に高温の煙を吸引する排煙フードには好適である。もちろん、磁石の吸着力のコントロールのためにネオジム磁石、フェライト磁石などを適宜用いても良い。【００６５】  このように構成された第３実施例の本体（１）は、垂下固定筒（２）に備えられた磁石（５ａ）と、磁石（５ａ）が吸着可能な昇降筒（３）とを吸着させ、磁石の吸着面に対して垂直方向に引き離すときには大きな力が必要であるが、吸着面に対して並行に移動させる（スライドして移動させる）ときには小さな力で事足りるという特性を利用して昇降筒（３）を上下方向にスムーズにスライド移動可能とするとともに任意の高さ位置で固定することができ、昇降操作が容易で使い勝手と耐久性に優れた排煙フードの昇降構造を提供することを可能とした。
【実施例４】
【００６６】  本発明の、第４の実施例について図１４乃至図１５を参照して詳細に説明する。なお、第４の実施例においては、第３の実施例にスプリング（８）をさらに追加したことを特徴としている。図１４は、昇降筒（３）を下げた状態、図１５は、昇降筒（３）を上げた状態を示す図である。排煙フードの本体（１）は、図１４及び図１５に示されるように垂下固定筒（２）と昇降筒（３）とからなり、垂下固定筒（２）の外側に昇降筒（３）を上下に摺動可能に挿通される。垂下固定筒（２）は、耐蝕性や外観に優れるステンレス製のパイプからなり、特に、オーステナイト系のステンレスＳＵＳ３０４が好適に用いられる。また、昇降筒（３）は、磁石が吸着する特性のあるマルテンサイト系のステンレス（例えばＳＵＳ４１０）、フェライト系ステンレス（例えばＳＵＳ４３０）などのステンレス製のパイプからなる。【００６７】  垂下固定筒（２）の下端近傍の外周面には円周上均等に複数のガイド突起（２ａ）が備えられ、垂下固定筒（２）の外側に摺動可能に挿通された昇降筒（３）の内周面に当接することによって昇降筒（３）のガタつきを防止すると同時にスムーズな昇降操作を可能にする。また、昇降筒（３）の上端開口部には、垂下固定筒（２）との隙間を塞ぐスペーサーリング（３ａ）が嵌換され、ガイド突起（２ａ）とスペーサーリング（３ａ）とでより確実にガタつきや偏芯を防止してスムーズな昇降操作を可能にする。【００６８】  また、図１４及び図１５に示されるように、垂下固定筒（２）の下方の直径は上方よりも太く形成され、太く形成された部分の外周面には、円周上均等に複数のガイド溝（９）が縦方向（筒の長手方向）に形成され、ガイド溝（９）の中に複数の磁石（５ａ）が配置して備えられる。なお、垂下固定筒（２）の下方の直径は上方よりも太く形成されているが、上方と一体に形成されていても上方とは別体に形成されていてもよい。【００６９】  さらに、垂下固定筒（２）の下端開口部の近傍には直径方向に渡って上方ステー（４）が備えられ、上方ステー（４）の両端をアングル（４ａ）によって垂下固定筒（２）の内周面にスポット溶接、ビス止めなどの止着手段（図示せず）によって固定される。また、上方ステー（４）の中央の下面にフック（４ｃ）が備えられ、後述するスプリング（８）の上端を引っ掛ける。なお、アングル（４ａ）を用いずに上方ステー（４）の両端を下方や上方に折り曲げても良いし、折り曲げずにそのまま溶接して止着しても良い。【００７０】  昇降筒（３）の下端開口部には直径方向に渡って下方ステー（６）が備えられ、下方ステー（６）の両端をアングル（６ａ）によって昇降筒（３）の内周面にスポット溶接、ビス止めなどの止着手段（図示せず）によって固定される。また、下方ステー（６）の中央の上面にフック（６ｂ）が備えられ、後述するスプリング（８）の下端を引っ掛ける。なお、アングル（６ａ）を用いずに下方ステー（６）の両端を下方や上方に折り曲げても良いし、折り曲げずにそのまま溶接して止着しても良い。【００７１】  図１５に示されるように、昇降筒（３）を最も上方に移動させたとき、下方ステー（６）が垂下固定筒（２）の下端部に当接してそれ以上、上に移動することを防止する。一方、図１４に示されるように昇降筒（３）を最も下方に移動させたとき、垂下固定筒（３）の太く形成された上の部分とスペーサーリング（３ａ）が当接してそれ以上、下に降下することを防止する。【００７２】  磁石（５ａ）は、図１６及び図１７において、１本のガイド溝（９）に２個（合計で６個）の磁石が配置して備えられているが、適宜磁石（５ａ）の数量や吸着力を変えることができる。これは、昇降筒（３）への磁石の吸着力をコントロールするためである。排煙フードの本体（１）を焼肉店に設置する場合、店舗の天井高による排煙ダクトの高さ位置、ロースターテーブルの高さによって垂下固定筒（２）及び昇降筒（３）の長さの設計寸法が異なる。このため、垂下固定筒（２）から吊り下げられる昇降筒（３）の長さの違いによる重量の影響を考慮する必要がある。昇降筒（３）の重量と磁石（５ａ）の吸着力のバランスが保たれているときは、昇降筒（３）はその自重により降下せず磁石（５ａ）によって吸着固定された位置を維持することができる。他方、昇降筒（３）の重量と磁石（５ａ）のバランスが崩れたとき、すなわち昇降筒（３）の自重が磁石（５ａ）の吸着力よりも勝っているときは、昇降筒（３）はその自重により降下して磁石（５ａ）によって吸着固定された位置を維持することができなくなる。本発明では、磁石を吸着面に対して垂直方向に引き離すときには大きな力が必要であるが、吸着面に対して並行に移動させる（スライドして移動させる）ときには小さな力で事足りるという特性を利用しているため、この点は特に重要である。【００７３】  なお、磁石（５ａ）は、サマリウムコバルト磁石が好適に用いられる。サマリウムコバルト磁石は、最も強いネオジム磁石に次ぐ磁力を持つとともに、磁性がなくなる温度であるキュリー温度が７００℃から８００℃と非常に高く、最大で３５０℃程度での環境でも使用できるため、特に高温の煙を吸引する排煙フードには好適である。もちろん、磁石の吸着力のコントロールのためにネオジム磁石、フェライト磁石などを適宜用いても良い。【００７４】  第４の実施例においては、第３の実施例にスプリング（８）をさらに追加したことを特徴としている。図１４は、昇降筒（３）を下げた状態でこのときスプリング（８）は伸びた状態である。また、図１５は、昇降筒（３）を上げた状態でこのときスプリング（８）は縮んだ状態である。また、スプリング（８）は、引張方向に力を加えると戻ろうとする引張コイルスプリングを用いている。スプリング（８）は、前記のとおり垂下固定筒（２）に備えられた上方ステー（４）の中央の下面にフック（４ｃ）、昇降筒（３）に備えられた下方ステー（６）の中央の上面にフック（６ｂ）を備えて、スプリング（８）の上端をフック（４ｃ）に、下端をフック（５ｂ）に引っ掛けて上方ステー（４）と下方ステー（６）との間に装着し、下方ステー（６）が装着されている昇降筒（３）が垂下固定筒（２）から吊り下げられるように構成した。また、スプリング（８）は、垂下固定筒（２）と昇降筒（３）がガタつきや偏芯を防止してスムーズに摺動するために、昇降筒（３）と垂下固定筒（２）の直径方向の中心軸に位置するように構成した。【００７５】  また、スプリ���グ（８）は、昇降筒（３）の下端開口部から焼肉の際に生じた高温の煙を吸引した際に、磁石（５ａ）が高温となって磁力（吸着力）が低下したとしても、昇降筒（３）が自重で降りてしまうことを防止し、所望の固定位置を維持するために備えられている。また、スプリング（８）は、昇降筒（３）の重量に応じて前記した磁石の吸着力のコントロールと協同してスプリングレートを適宜設定したものを使用することによって、垂下固定筒（２）に摺動可能に挿通された昇降筒（３）の昇降操作を手で行う際、磁石（５ａ）が強力に吸着し過ぎて昇降操作が困難になることなく、また、昇降筒（３）の自重によって自然に降下してしまうことなく、磁石（５ａ）によって吸着固定された位置を維持することができるバランスのとれた吸着力が得られることになる。【００７６】このように構成された第４実施例の本体（１）は、垂下固定筒（２）に備えられた磁石（５ａ）と、磁石（５ａ）が吸着可能な昇降筒（３）とを吸着させ、磁石の吸着面に対して垂直方向に引き離すときには大きな力が必要であるが、吸着面に対して並行に移動させる（スライドして移動させる）ときには小さな力で事足りるという特性を利用して昇降筒（３）を上下方向にスムーズにスライド移動可能とするとともに任意の高さ位置で固定することができ、昇降操作が容易で使い勝手と耐久性に優れた排煙フードの昇降構造を提供することを可能とした。また、スプリング（８）を垂下固定筒（２）に備えられた上方ステー（４）と昇降筒（３）に備えられた下方ステー（６）との間に備えたので、昇降筒（３）の下端開口部から焼肉の際に生じた高温の煙を吸引した際に、磁石（５ａ）が高温となって磁力（吸着力）が低下したとしても、昇降筒（３）が自重で降下してしまうことを防止し、固定された位置を維持することができる。
【実施例５】
【００７７】  本発明の、第５の実施例について図１６乃至図１８を参照して詳細に説明する。図１６は、昇降筒（３）を下げた状態、図１７は、昇降筒（３）を上げた状態を示す図、図１８は、図１７におけるＡ−Ａ線拡大断面図である。排煙フードの本体（１）は、図１６及び図１７に示されるように垂下固定筒（２）と昇降筒（３）とからなり、垂下固定筒（２）の外側に昇降筒（３）が上下に摺動可能に挿通される。垂下固定筒（２）と昇降筒（３）は、耐蝕性や外観に優れるステンレス製のパイプからなり、特に、オーステナイト系のステンレスＳＵＳ３０４が好適に用いられる。【００７８】  垂下固定筒（２）の下端近傍の外周面には円周上均等に複数のガイド突起（２ａ）が備えられ、垂下固定筒（２）の外側に摺動可能に挿通された昇降筒（３）の内周面に当接することによって昇降筒（３）のガタつきを防止すると同時にスムーズな昇降操作を可能にする。また、昇降筒（３）の上端開口部には、垂下固定筒（２）との隙間を塞ぐスペーサーリング（３ａ）が嵌換され、ガイド突起（２ａ）とスペーサーリング（３ａ）とでより確実にガタつきや偏芯を防止してスムーズな昇降操作を可能にする。【００７９】  図１６及び図１７に示されるように、垂下固定筒（２）の下方の直径は上方よりも太く形成され、太く形成された部分の外周面には、円周上均等に複数のガイド溝（９）が縦方向（筒の長手方向）に形成され、ガイド溝（９）の中に複数の磁石（５ａ）が配置して備えられる。なお、垂下固定筒（２）の下方の直径は上方よりも太く形成されているが、上方と一体に形成されていても上方とは別体に形成されていてもよい。【００８０】  また、昇降筒（３）の内周面には、前記複数のガイド溝（９）に相応して嵌まり込む複数の平板状の磁石スライドレール（７）が昇降筒（３）の長手方向（軸方向）に備えられ、磁石（５ａ）が磁石スライドレール（７）に吸着することによって昇降筒（３）の上下位置が固定されるとともに、昇降筒（３）を手で昇降操作（上下移動させること）することによって、任意の高さ位置にスムーズに移動してそのまま固定することが可能となる。また、昇降筒（３）の内周面に備えられた磁石スライドレール（７）が、垂下固定筒（２）の外周面に形成されたガイド溝（９）に嵌り込むことによって昇降筒（３）が回転することがない。【００８１】  図１６及び図１７に示されるように、昇降筒（３）の下端開口部内周面にはアングル状のストッパー（３ｂ）が備えられ、スポット溶接、ビス止めなどの止着手段（図示せず）によって固定される。また、図１７に示されるように昇降筒（３）を最も上方に移動させたとき、ストッパー（３ｂ）が垂下固定筒（２）の下端部に当接してそれ以上、上に移動することを防止する。一方、図１６に示されるように昇降筒（３）を最も下方に移動させたとき、垂下固定筒（３）の太く形成された上の部分とスペーサーリング（３ａ）が当接してそれ以上、下に降下することを防止する。【００８２】  磁石（５ａ）は、図１６及び図１７において、１本のガイド溝（９）に２個（合計で６個）の磁石が配置して備えられているが、適宜磁石（５ａ）の数量や吸着力を変えることができる。これは、磁石スライドレール（７）への磁石の吸着力をコントロールするためである。排煙フードの本体（１）を焼肉店に設置する場合、店舗の天井高による排煙ダクトの高さ位置、ロースターテーブルの高さによって垂下固定筒（２）及び昇降筒（３）の長さの設計寸法が異なる。このため、垂下固定筒（２）から吊り下げられる昇降筒（３）の長さの違いによる重量の影響を考慮する必要がある。昇降筒（３）の重量と磁石（５ａ）の吸着力のバランスが保たれているときは、昇降筒（３）はその自重により降下せず磁石（５ａ）によって吸着固定された位置を維持することになる。他方、昇降筒（３）の重量と磁石（５ａ）のバランスが崩れたとき、すなわち昇降筒（３）の自重が磁石（５ａ）の吸着力よりも勝っているときは、昇降筒（３）はその自重により降下して磁石（５ａ）によって吸着固定された位置を維持することができなくなる。本発明では、磁石を吸着面に対して垂直方向に引き離すときには大きな力が必要であるが、吸着面に対して並行に移動させる（スライドして移動させる）ときには小さな力で事足りるという特性を利用しているため、この点は特に重要である。【００８３】  なお、磁石（５ａ）は、サマリウムコバルト磁石が好適に用いられる。サマリウムコバルト磁石は、最も強いネオジム磁石に次ぐ磁力を持つとともに、磁性がなくなる温度であるキュリー温度が７００℃から８００℃と非常に高く、最大で３５０℃程度での環境でも使用できるため、特に高温の煙を吸引する排煙フードには好適である。もちろん、磁石の吸着力のコントロールのためにネオジム磁石、フェライト磁石などを適宜用いても良い。【００８４】  磁石スライドレール（７）は、磁石が吸着する特性のあるマルテンサイト系のステンレス（例えばＳＵＳ４１０）、フェライト系ステンレス（例えばＳＵＳ４３０）などの平板からなり、磁石（５ａ）が幅広面に吸着することによって昇降筒（３）の上下位置が固定されるとともに、昇降筒（３）を手で昇降操作（上下移動させること）することによって、任意の高さ位置にスムーズに移動してそのまま固定することが可能となる。本発明においては、磁石を吸着面に対して垂直方向に引き離すときには大きな力が必要であるが、吸着面に対して並行に移動させる（スライドして移動させる）ときには小さな力で事足りるという特性を利用した。【００８５】  このように構成された第５実施例の本体（１）は、垂下固定筒（２）に備えられた磁石（５ａ）と、昇降筒（３）に備えられた磁石（５ａ）が吸着可能な金属材の平板で形成された磁石スライドレール（７）とを吸着させ、磁石の吸着面に対して垂直方向に引き離すときには大きな力が必要であるが、吸着面に対して並行に移動させる（スライドして移動させる）ときには小さな力で事足りるという特性を利用して昇降筒（３）を上下方向にスムーズにスライド移動可能とするとともに任意の高さ位置で固定することを可能とした。また、昇降筒（３）の内周面の長手方向（軸方向）に備えられた磁石スライドレール（７）が、垂下固定筒（２）の外周面に形成されたガイド溝（９）に嵌り込むことによって昇降筒（３）が回転することがなく、昇降操作が容易で使い勝手と耐久性に優れた排煙フードの昇降構造を提供することを可能とした。
【実施例６】
【００８６】  本発明の、第６の実施例について図１９及び図２０を参照して詳細に説明する。なお、第６の実施例においては、第５の実施例にスプリング（８）をさらに追加したことを特徴としている。図１９は、昇降筒（３）を下げた状態、図２０は、昇降筒（３）を上げた状態を示す図である。【００８７】  第６実施例における排煙フードの本体（１）の基本的な構成は前記の第５実施例と同一である。本体（１）は、図１９及び図２０に示されるように垂下固定筒（２）と昇降筒（３）とからなり、垂下固定筒（２）の外側に昇降筒（３）を上下に摺動可能に挿通される。垂下固定筒（２）と昇降筒（３）は、耐蝕性や外観に優れるステンレス製のパイプからなり、特に、オーステナイト系のステンレスＳＵＳ３０４が好適に用いられる。【００８８】  垂下固定筒（２）の下端近傍の外周面には円周上均等に複数のガイド突起（２ａ）が備えられ、垂下固定筒（２）の外側に摺動可能に挿通された昇降筒（３）の内周面に当接することによって昇降筒（３）のガタつきを防止すると同時にスムーズな昇降操作を可能にする。また、昇降筒（３）の上端開口部には、垂下固定筒（２）との隙間を塞ぐスペーサーリング（３ａ）が嵌換され、ガイド突起（２ａ）とスペーサーリング（３ａ）とでより確実にガタつきや偏芯を防止してスムーズな昇降操作を可能にする。【００８９】  また、図１９及び図２０に示されるように、垂下固定筒（２）の下方の直径は上方よりも太く形成され、太く形成された部分の外周面には、円周上均等に複数のガイド溝（９）が縦方向（筒の長手方向）に形成され、ガイド溝（９）の中に複数の磁石（５ａ）が配置して備えられる。なお、垂下固定筒（２）の下方の直径は上方よりも太く形成されているが、上方と一体に形成されていても上方とは別体に形成されていてもよい。【００９０】  また、昇降筒（３）の内周面には、前記複数のガイド溝（９）に相応して嵌まり込む複数の平板状の磁石スライドレール（７）が長手方向（軸方向）に備えられ、磁石（５ａ）が磁石スライドレール（７）に吸着することによって昇降筒（３）の上下位置が固定されるとともに、昇降筒（３）を手で昇降操作（上下移動させること）することによって、任意の高さ位置にスムーズに移動してそのまま固定することが可能となる。また、昇降筒（３）の内周面の長手方向（軸方向）に備えられた磁石スライドレール（７）が、垂下固定筒（２）の外周面に形成されたガイド溝（９）に嵌り込むことによって昇降筒（３）が回転することがない。【００９１】  垂下固定筒（２）の下端開口部の近傍には直径方向に渡って上方ステー（４）が備えられ、上方ステー（４）の両端をアングル（４ａ）によって垂下固定筒（２）の内周面にスポット溶接、ビス止めなどの止着手段（図示せず）によって固定される。また、上方ステー（４）の中央の下面にフック（４ｃ）が備えられ、後述するスプリング（８）の上端を引っ掛ける。なお、アングル（４ａ）を用いずに上方ステー（４）の両端を下方や上方に折り曲げても良いし、折り曲げずにそのまま溶接して止着しても良い。【００９２】  昇降筒（３）の下端開口部の近傍には直径方向に渡って下方ステー（６）が備えられ、下方ステー（６）の両端をアン���ル（６ａ）によって昇降筒（３）の内周面にスポット溶接、ビス止めなどの止着手段（図示せず）によって固定される。また、下方ステー（６）の中央の上面にフック（６ｂ）が備えられ、後述するスプリング（８）の下端を引っ掛ける。なお、アングル（６ａ）を用いずに下方ステー（６）の両端を下方や上方に折り曲げても良いし、折り曲げずにそのまま溶接して止着しても良い。【００９３】  図２０に示されるように、昇降筒（３）を最も上方に移動させたとき、下方ステー（６）が垂下固定筒（２）の下端部に当接してそれ以上、上に移動することを防止する。一方、図１９に示されるように昇降筒（３）を下方に移動させたとき、垂下固定筒（３）の太く形成された上の部分とスペーサーリング（３ａ）が当接してそれ以上、下に降下することを防止する。【００９４】  磁石（５ａ）は、図１９及び図２０において、１本のガイド溝（９）に２個（合計で６個）の磁石が配置して備えられているが、適宜磁石（５ａ）の数量や吸着力を変えることができる。これは、磁石スライドレール（７）への磁石の吸着力をコントロールするためである。排煙フードの本体（１）を焼肉店に設置する場合、店舗の天井高による排煙ダクトの高さ位置、ロースターテーブルの高さによって垂下固定筒（２）及び昇降筒（３）の長さの設計寸法が異なる。このため、垂下固定筒（２）から吊り下げられる昇降筒（３）の長さの違いによる重量の影響を考慮する必要がある。昇降筒（３）の重量と磁石（５ａ）の吸着力のバランスが保たれているときは、昇降筒（３）はその自重により降下せず磁石（５ａ）によって吸着固定された位置を維持することができる。他方、昇降筒（３）の重量と磁石（５ａ）のバランスが崩れたとき、すなわち昇降筒（３）の自重が磁石（５ａ）の吸着力よりも勝っているときは、昇降筒（３）はその自重により降下して磁石（５ａ）によって吸着固定された位置を維持することができなくなる。本発明では、磁石を吸着面に対して垂直方向に引き離すときには大きな力が必要であるが、吸着面に対して並行に移動させる（スライドして移動させる）ときには小さな力で事足りるという特性を利用しているため、この点は特に重要である。【００９５】  なお、磁石（５ａ）は、サマリウムコバルト磁石が好適に用いられる。サマリウムコバルト磁石は、最も強いネオジム磁石に次ぐ磁力を持つとともに、磁性がなくなる温度であるキュリー温度が７００℃から８００℃と非常に高く、最大で３５０℃程度での環境でも使用できるため、特に高温の煙を吸引する排煙フードには好適である。もちろん、磁石の吸着力のコントロールのためにネオジム磁石、フェライト磁石などを適宜用いても良い。【００９６】  磁石スライドレール（７）は、磁石が吸着する特性のあるマルテンサイト系のステンレス（例えばＳＵＳ４１０）、フェライト系ステンレス（例えばＳＵＳ４３０）などの平板からなり、磁石（５ａ）が吸着することによって昇降筒（３）の上下位置が固定されるとともに、昇降筒（３）を手で昇降操作（上下移動させること）することによって、任意の高さ位置にスムーズに移動してそのまま固定することが可能となる。本発明においては、磁石を吸着面に対して垂直方向に引き離すときには��きな力が必要であるが、吸着面に対して並行に移動させる（スライドして移動させる）ときには小さな力で事足りるという特性を利用した。【００９７】  第６の実施例においては、第５の実施例にスプリング（８）をさらに追加したことを特徴としている。図１９は、昇降筒（３）を下げた状態でこのときスプリング（８）は伸びた状態である。また、図２０は、昇降筒（３）を上げた状態でこのときスプリング（８）は縮んだ状態である。また、スプリング（８）は、引張方向に力を加えると戻ろうとする引張コイルスプリングを用いている。スプリング（８）は、前記のとおり垂下固定筒（２）に備えられた上方ステー（４）の中央の下面にフック（４ｃ）、昇降筒（３）に備えられた下方ステー（６）の中央の上面にフック（６ｂ）を備えて、スプリング（８）の上端をフック（４ｃ）に、下端をフック（６ｂ）に引っ掛けて上方ステー（４）と下方ステー（６）との間に装着し、下方ステー（６）が装着されている昇降筒（３）が垂下固定筒（２）から吊り下げられるように構成した。また、スプリング（８）は、垂下固定筒（２）と昇降筒（３）がガタつきや偏芯を防止してスムーズに摺動するために、昇降筒（３）と垂下固定筒（２）の直径方向の中心軸に位置するように構成した。【００９８】  また、スプリング（８）は、昇降筒（３）の下端開口部から焼肉の際に生じた高温の煙を吸引した際に、磁石（５ａ）が高温となって磁力（吸着力）が低下したとしても、昇降筒（３）が自重で降りてしまうことを防止し、固定された位置を維持するために備えられている。また、スプリング（８）は、昇降筒（３）の重量に応じて前記した磁石の吸着力のコントロールと協同してスプリングレートを適宜設定したものを使用することによって、垂下固定筒（２）に摺動可能に挿通された昇降筒（３）の昇降操作を手で行う際、磁石（５ａ）が強力に吸着し過ぎて昇降操作が困難になることなく、また、昇降筒（３）の自重によって自然に降下してしまうことなく、磁石（５ａ）によって吸着固定された位置を維持することができるバランスのとれた吸着力が得られることになる。【００９９】  このように構成された第６実施例の本体（１）は、垂下固定筒（２）に備えられた磁石（５ａ）と、昇降筒（３）に備えられた磁石（５ａ）が吸着可能な金属材で平板から形成された磁石スライドレール（７）とを吸着させ、磁石の吸着面に対して垂直方向に引き離すときには大きな力が必要であるが、吸着面に対して並行に移動させる（スライドして移動させる）ときには小さな力で事足りるという特性を利用して、昇降筒（３）を上下方向にスムーズにスライド移動可能とするとともに任意の高さ位置で固定することを可能とした。また、昇降筒（３）の内周面に縦方向備えられた磁石スライドレール（７）が、垂下固定筒（２）の外周面に縦方向に形成されたガイド溝（９）に嵌り込むことによって昇降筒（３）が回転することがなく、昇降操作が容易で使い勝手と耐久性に優れた排煙フードの昇降構造を提供することを可能とした。さらに、スプリング（８）を上方ステー（４）と下方ステー（６）との間に備えるとともに、スプリング（８）のコイル内には磁石スライドレール（７）が位置するように備えたので、��降筒（３）の下端開口部から焼肉の際に生じた高温の煙を吸引した際に、磁石（５ａ）が高温となって磁力（吸着力）が低下したとしても、昇降筒（３）が自重で降下してしまうことを防止し、固定された位置を維持することができる。
【実施例７】
【０１００】  本発明の、第７の実施例について図２１乃至図２５を参照して詳細に説明する。なお、第７の実施例においては、垂下固定筒（２）に備えられた磁石（５ａ）と、昇降筒（３）に備えられた磁石スライドレール（７）あるいは昇降筒（３）自体とを吸着させて昇降筒（３）を上下方向にスムーズに摺動可能とするとともに任意の高さ位置で固定することについては、第１から第６の実施例と同様であるので説明を省略し、昇降筒（３）にグリスフィルタ（１１）を格納したことについて詳細に説明をする。【０１０１】  また、図２１乃至図２５においては、第１から第６までの実施例の態様の内、何れを用いても差支えないが、代表例として第１の実施例の態様（図３乃至図５）を用いて昇降筒（３）にグリスフィルタ（１１）を格納した状態で説明をする。【０１０２】  図２１は、排煙フードの本体（１）の昇降筒（３）にグリスフィルタ（１１）を着脱可能に格納した全体図、図２２（Ａ）は、昇降筒（３）にグリスフィルタ（１１）を格納した状態、図２２（Ｂ）は、昇降筒（３）からグリスフィルタ（１１）を外した状態、図２３は、グリスフィルタ（１１）の部品構成を示す説明図、図２４は、図２３（Ａ）（Ｂ）を組み合わせた状態のＡ−Ａ線断面図、図２５は、グリスフィルタ（１１）の排煙の流れを示す図である。【０１０３】  図２１に示されるようにグリスフィルタ（１１）は、保持部（１０）にセット（装着）された状態（上から嵌めた状態）で昇降筒（３）の下端側開口部に着脱可能に格納して備えられている。保持部（１０）は、垂下固定筒（２）や昇降筒（３）と同様に耐蝕性や外観に優れるステンレス製のパイプからなり、特に、オーステナイト系のステンレスＳＵＳ３０４が好適に用いられる。【０１０４】  また、保持部（１０）は、下側開口部の内側全周にグリスフィルタ（１１）が落下しないようにフランジ（１０ａ）が形成されるとともに、昇降筒（３）に装着するためのロックピン（１０ａ）が上側開口部近傍の外周面に備えられてなる。【０１０５】  図２２に示されるように、昇降筒（３）の下端側開口部には、嵌合ロック部（３ｂ）が形成され、保持部（１０）のロックピン（１０ａ）を下から合わせて上方に差し込み回転させることで嵌合状態が固定される。このとき昇降筒（３）は、磁石スライドレール（７）が角棒あるいは角パイプで上方ステー（４）の四角穴の貫通孔（４ｂ）と磁石部（５）の四角穴の貫通孔（５ｃ）に挿通されるなどして構成されているので回転することなく、昇降筒（３）への装着が片手で極めて容易に行うことができる。【０１０６】  図２３は、グリスフィルタ（１１）の部品構成を示す説明図である。図２３（Ａ）は、アウターバッフル（１１ａ）、図２１（Ｂ）は、インナーバッフル（１１ｂ）である。グリスフィルタ（１１）は、円錐型のアウターバッフル（１１ａ）の内側に同じく円錐型のインナーバッフル（１１ｂ）を図２４に示されるように重ね合わせることでバッフル型のグリスフィルタとして構成され、ＳＵＳ３０４などのステンレスやアルミなどの金属薄板から形成される。【０１０７】  図２４は、図２３（Ａ）アウターバッフル（１１ａ）と図２３（Ｂ）インナーバッフル（１１ｂ）を重ね合わわせてグリ��フィルタ（１１）として構成された状態のＡ−Ａ線断面図である。【０１０８】  図２３及び図２４に示されるように、アウターバッフル（１１ａ）は、円錐型で底面を通気可能に開放し、側面には円錐型の頂点部材（１１ａ−１）から断面を山型にして山型頂点を外方に向けた複数のバッフル材（１１ａ−２）を、等間隔に隙間（１１ａ−３）を開けて放射状に延設し、頂点部材（１１ａ−１）の頂点とは逆側の端部をフランジ（１１ａ−４）に溶接固定して構成される。【０１０９】  インナーバッフル（１１ｂ）は、アウターバッフル（１１ａ）同様、円錐型で底面を通気可能に開放し、側面には円錐型の頂点部材（１１ｂ−１）から断面を山型にして山型頂点を内方に向けた複数のバッフル材（１１ｂ−２）を、等間隔に隙間（１１ｂ−３）を開けて放射状に延設し、頂点部材（１１ｂ−１）の頂点とは逆側の端部をフランジ（１１ｂ−４）に溶接固定して構成される。【０１１０】  このように構成されたアウターバッフル（１１ａ）とインナーバッフル（１１ｂ）とは、ガイド溝（１１ａ−５）と（１１ｂ−５）を合わせて重ね合わせることで図２４に示されるようにグリスフィルタ（１１）として構成される。また、図２４に示されるようにアウターバッフル（１１ａ）のバッフル材（１１ａ−２）とインナーバッフル（１１ｂ）のバッフル材（１１ｂ−２）の位置関係は、バッフル材（１１ａ−２）の隙間（１１ａ−３）とバッフル材（１１ｂ−２）の山型頂点が一致するように構成した。そしてガイド溝（１１ａ−５）と（１１ｂ−５）を円形のフランジ（１１ａ−４）（１１ｂ−４）の円周を均等角度で等分した位置（例えば１２０°毎）に備えたので、どのガイド溝（１１ａ−５）と（１１ｂ−５）同士を合わせても正しい位置関係でアウターバッフル（１１ａ）とインナーバッフル（１１ｂ）とを正しく重ね合わせることができる。【０１１１】  図２５は、グリスフィルタ（１１）を通過する煙の流れを示す図である。図２４の断面の一部を拡大したもので煙の流れを矢印で示した。煙は、グリスフィルタ（１１）の底面部を吸煙口としてファン（図示せず）により強制的に煙を吸引して外部に排煙する。バッフル型のグリスフィルタの油分の捕捉理論についての説明は省略するが、底面部から吸い込まれた煙は、まずインナーバッフル（１１ｂ）のバッフル材（１１ｂ−２）の隙間（１１ｂ−３）を通過し、アウターバッフル（１１ａ）のバッフル材（１１ａ−２）の斜面にあたり煙に含まれる油分を捕捉し、反射して対向するインナーバッフル（１１ｂ）のバッフル材（１１ｂ−２）の斜面にあたり油分を捕捉し、反射してアウターバッフル（１１ａ）の隙間（１１ａ−３）（１２）から外方に向けて排煙される。このように流れることにより排煙の流速など諸条件により変わるが概ね排煙に含まれる８０％から９０％程度の油分をグリスフィルタ（１１）で捕捉することができる。【０１１２】  また、グリスフィルタ（１１）は、バッフル型のグリスフィルタを円錐型形状の側面に構成したことにより、極めて高効率に煙から油分を除去することが可能であり、グリスフィルタの面、すなわちバッフル材（１１ａ−２）（１１ｂ−２）のすべてが傾斜して構成されているので、捕捉した油分は重力に��い自然に下方向に流れ落ち、グリス受け（１２）に回収される。【０１１３】  さらに、排煙ダクトや垂下固定筒（２）、昇降筒（３）の直径や所望の性能に応じて、グリスフィルタ（１１）の円錐の底面部直径、高さ、角度を変えることにより、フィルタ面の有効面積、静圧、排煙効率（風速）、油分の捕捉率の計算及び設計が容易となり、グリスフィルタ全体が均一な静圧及び風量のバランスがとれ、排煙速度（風速）を早めても耳障りな吸い込み音や口笛効果を発生することがなく、グリスフィルタの面すべてにおいて、どの部分も均一で高い油分捕捉効果を発揮することができる。【０１１４】  さらにまた、グリスフィルタ（１１）は、昇降筒（３）の下端側開口部に保持部（１０）にセットされた状態で備えられているため容易に手が届く位置にあり、洗浄のために容易に取り外すことができる。そして、グリスフィルタ（１１）は、昇降筒（３）内に格納されるようにコンパクトであることから、現在ほとんどの焼肉店に導入されている業務用食洗機に容易に入れることができる。したがって客毎に使用済みの汚れた食器類と同時に業務用食洗機で洗浄することで、開店前や閉店後などに別途手間や洗剤などのコストをかけて洗浄作業を行う必要がない。このように日常的に洗浄作業を容易に行うことができるので、結果的にグリスフィルタで捕捉した排煙の油分がグリス受けに溜まることがなくなりるとともに、それ以降の排煙経路である排煙ダクト内壁への油分付着が減少するので、防炎効果を飛躍的に向上させて火災リスクの低減と、排煙ダクト自体の洗浄などの配管設備メンテナンス時期を大きく伸ばせるといった優れた効果を得ることができる。【０１１５】  このように構成された第７実施例の本体（１）は、垂下固定筒（２）に備えられた磁石（５ａ）と、昇降筒（３）に備えられた磁石スライドレール（７）とを吸着させて、磁石の吸着面に対して垂直方向に引き離すときには大きな力が必要であるが、吸着面に対して並行に移動させる（スライドして移動させる）ときには小さな力で事足りるという特性を利用したことで、昇降操作と任意の高さ位置での固定が容易で使い勝手と耐久性に優れた排煙フードの昇降構造を提供することを可能とした。【０１１６】  また、昇降筒（３）の下端にグリスフィルタ（１１）を着脱自在に格納したことによって、焼肉の際に生じる煙に含まれる油分（グリス）を高効率で捕捉することができるので、洗浄性の向上、排煙経路である排煙ダクト内壁への油分付着減少などによって、防炎効果の飛躍的向上による火災リスクの低減、排煙ダクト内壁洗浄などの配管設備メンテナンス時期を大幅に伸ばすなどの優れた効果を得ることができる。
【符号の説明】
【０１１７】  １          本体
２          垂下固定筒
２ａ        ガイド突起
３          昇降筒
３ａ        スペーサーリング
３ｂ        嵌合ロック部
４          上方ステー
４ａ        アングル
４ｂ        貫通孔
４ｃ        フック
５          磁石部
５ａ        磁石
５ｂ        磁石ボックス
６          下方ステー
６ａ        アングル
６ｂ        フック
７          磁石スライドレール
７ａ        下部ストッパー
７ｂ        上部ストッパー
８          スプリング
９          ガイド溝
１０          保持部
１０ａ        ロックピン
１１          グリスフィルタ
１１ａ        アウターバッフル
１１ｂ        インナーバッフル
１２          グリス受
【図１】
2017067424.tif 000003
【図２】
2017067424.tif 000004
【図３】
2017067424.tif 000005
【図４】
2017067424.tif 000006
【図５】
2017067424.tif 000007
【図６】
2017067424.tif 000008
【図７】
2017067424.tif 000009
【図８】
2017067424.tif 000010
【図９】
2017067424.tif 000011
【図１０】
2017067424.tif 000012
【図１１】
2017067424.tif 000013
【図１２】
2017067424.tif 000014
【図１３】
2017067424.tif 000015
【図１４】
2017067424.tif 000016
【図１５】
2017067424.tif 000017
【図１６】
2017067424.tif 000018
【図１７】
2017067424.tif 000019
【図１８】
2017067424.tif 000020
【図１９】
2017067424.tif 000021
【図２０】
2017067424.tif 000022
【図２１】
2017067424.tif 000023
【図２２】
2017067424.tif 000024
【図２３】
2017067424.tif 000025
【図２４】
2017067424.tif 000026
【図２５】
2017067424.tif 000027